(57)【要約】【課題】  一の指輪で複数の意匠を現出させることでバリエーションを多くし、使用する状況に適切に合わせることができると共に、長期間の使用にも飽きがこないで経済的な負担を軽減することができ、更に、保管のための維持管理を容易にすることができる多意匠指輪を提供する。【解決手段】  周方向の対向位置の外周面（１１Ａ，１１Ｂ）に異なる意匠（α，β）が施されている本体リング１０と、外周面３１Ａに意匠γが施されている半円状の付帯リング３０とを備え、付帯リング３０Ａを、本体リング１０の一の側面１５Ａに軸方向に１８０度回転自在に付設させた。更に、本体リング１０の他の側面１５Ｂに、軸方向に１８０度回転自在に外周面３１Ｂに意匠δが施されている付帯リング３０Ｂ付設させた。【選択図】図１
2019037307.tif 000002
【特許請求の範囲】
【請求項１】
周方向の対向位置の外周面に異なる意匠が施されている本体リングと、外周面に意匠が施されている半円状の付帯リングとを備え、
前記付帯リングは、前記本体リングの一の側面に軸方向に１８０度回転自在に付設されていることを特徴とする多意匠指輪。
【請求項２】
前記本体リングの他の側面に、外周面に意匠が施され軸方向に１８０度回転自在な半円状の付帯リングが付設されていることを特徴とする請求項１に記載の多意匠指輪。
【請求項３】
前記本体リング及び／又は前記付帯リングの外周面に施されている意匠は、地金に造形が施されている意匠及び／又は宝石等を有する意匠であることを特徴とする請求項１又は２に記載の多意匠指輪。
【発明の詳細な説明】
【技術分野】
【０００１】
本発明は、一の指輪で複数の意匠を楽しむことができる多意匠指輪に関する。
【背景技術】
【０００２】
従来、一の指輪には一の意匠が施されているだけであったので、長期間に亘り使用すると飽きが来てしまい、他の意匠が施された指輪を使用したいとの欲求が生じることがあった。
【０００３】
また、一の指輪には一の意匠が施されているだけであるので、使用する状況に不適切の場合もあり、使用する状況に合わせ複数の種類の指輪をそろえておく必要があった。
【０００４】
更に、一の意匠が施されているだけであるので、豪華さ等に欠けると感じることもあり、下記特許文献では、複数の種類の指輪を組み合わせて使用することが提案されている。
【０００５】
しかしながら、指輪は高価であり、複数の種類の指輪を揃えるためには多額の金額が必要となり、経済的な負担が大きくなるとの不具合があった。
【０００６】
更に、指輪は高価であると共に傷つきやすいので、１個づつケースに入れて保管するので、紛失防止を含めた保管のための維持管理に負担が掛ると共に収納場所の確保が必要になるとの不具合があった。
【先行技術文献】
【特許文献】
【０００７】
【特許文献１】実用新案登録第３０７３５８４号
【特許文献２】実公平０６−２２２５４号
【発明の概要】
【発明が解決しようとする課題】
【０００８】
本発明は、かかる上述の不具合点を解決するためになされたものであって、その目的とするところは、一の指輪で複数の意匠を現出させることでバリエーションを多くし、使用する状況に適切に合わせることができると共に、長期間の使用にも飽きがこないで経済的な負担を軽減することができ、更に、保管のための維持管理を容易にすることができる多意匠指輪を提供することである。
【課題を解決するための手段】
【０００９】
上記目的を達成するため、本発明の請求項１に係る多意匠指輪は、周方向の対向位置の外周面に異なる意匠が施されている本体リングと、外周面に意匠が施されている半円状の付帯リングとを備え、前記付帯リングは、前記本体リングの一の側面に軸方向に１８０度回転自在に付設されていることを特徴とするものである。
【００１０】
また、本発明の請求項２に係る多意匠指輪は、請求項１に記載の多意匠指輪において、前記本体リングの他の側面に、外周面に意匠が施され軸方向に１８０度回転自在な半円状の付帯リングが付設されていることを特徴とするものである。
【００１１】
また、本発明の請求項３に係る多意匠指輪は、請求項１又は２に記載の多意匠指輪において、前記本体リング及び／又は前記付帯リングの外周面に施されている意匠は、地金に造形が施されている意匠及び／又は宝石等を有する意匠であることを特徴とするものである。
【発明の効果】
【００１２】
本発明は、以下の効果を奏する。
【００１３】
すなわち、上記構成を備えた本発明の多意匠指輪は、外周面に意匠が施されている半円状の付帯リングが、周方向の対向位置の外周面に異なる意匠が施されている本体リングの一の側面に軸方向に１８０度回転自在に付設されているので、付帯リングを１８０度回転させて付帯リングの意匠を、周方向の対向位置の外周面に異なる意匠が施されている本体リングのいずれかの意匠と組み合わせることができ、一の指輪で複数の意匠を楽しむことができる。
【００１４】
更に、前記本体リングの他の側面にも、外周面に意匠が施され軸方向に１８０度回転自在の半円状の付帯リングが付設されていると、本体リングの両側面に付設されている付帯リングのいずれかまたは両方を１８０度回転させ、周方向の対向位置の外周面に異なる意匠が施されている本体リングのいずれかの意匠と両側面に付設されている付帯リングのいずれかまたは両方の意匠とを組み合わせることができ、一の指輪でより多くの組み合わせによる複数の意匠を楽しむことができる。
【００１５】
更に、前記本体リング及び／又は前記半円状の付帯リングの外周面に施されている意匠は、地金に造形が施されている意匠及び／又は宝石等を有する意匠であるので、一の指輪で使用する状況に適切に合わせて使用することができる。
【図面の簡単な説明】
【００１６】
【図１】本発明に係る多意匠指輪の斜視図である。
【図２】図１における多意匠指輪において、付帯リングの回転状態を示す斜視図である。
【図３】図２の〇印部において、本体リングの意匠の境界部の位置であるＹ−Ｙで軸方向に切断した状態を、図２における右方向から見た拡大断面説明図である。
【図４】別の本発明に係る多意匠指輪の斜視図である。
【図５】図４における多意匠指輪において、一部の付帯リングを１８０度回転させた状態を示す斜視図である。
【図６】更に別の本発明に係る多意匠指輪の斜視図である。
【図７】図６における多意匠指輪において、一部の付帯リングを１８０度回転させた状態を示す斜視図である。
【発明を実施するための形態】
【００１７】
以下に図面を参照して、この発明の実施形態を例示して説明する。
【００１８】
図１は、本発明の多意匠指輪の斜視図であり、図２は、図１における多意匠指輪に付設されている付帯リングの回転状態を示す斜視図であり、図３は、図２の〇印部において、本体リングの意匠の境界部の位置であるＹ−Ｙで軸方向に切断した状態を、図２における右方向から見た断面説明図である。図４は、別の本発明に係る多意匠指輪の斜視図であり、図５は、図４における多意匠指輪に付設されている付帯リングの一部を１８０度回転させた状態を示す斜視図である。図６は、更に別の本発明に係る多意匠指輪の斜視図であり、図７は、図６における多意匠指輪に付設されている付帯リングの一部を１８０度回転させた状態を示す斜視図である。
【００１９】
実施形態１
図１に示す様に、本発明の多意匠指輪１は、本体リング１０と、付帯リング３０Ａとを備えている。
【００２０】
本体リング１０は、円形状のリングであって、周方向の対向位置の外周面１１に異なる意匠が施されている。実施形態1では、周方向に半周の長さに亘り外周面１１Ａに、同じ大きさで成形された赤色の小さな宝石１３Ａが一列に地金１２に嵌め込まれた状態で配設された意匠αが施されており、上述の外周面１１Ａの対向位置である残りの半周の外周面１１Ｂに、外周面１１Ａに嵌め込まれた小さな宝石１３Ａと形状は異なるが同じ大きさで成形された緑色の小さな宝石１３Ｂが一列に地金１２に嵌め込まれた状態で配設された意匠βが施されている。
【００２１】
外周面１１の周方向半周に亘り施されている意匠（例えば意匠α又はβ）は、小さな宝石１３が一列に地金１２に嵌め込まれた状態で配設された意匠ではなく、例えば大きな宝石が１個、又は大きな宝石と小さな宝石が複数個まとまった状態で配設された意匠、宝石の代替えとして人造宝石・色付きガラス等が用いられた意匠等、宝石等の大きさ、種類、形状、色彩等に関わらず宝石等がどの様に配列された意匠であっても良い。尚、大きな宝石を用いた意匠の場合、大きな宝石が配設される位置は、外周面１１に半周に亘り形成される意匠の周方向中央部１４が好適である。
【００２２】
また、宝石等が配設された意匠ではなく、地金１２だけの意匠であっても良い。この地金１２には、鍛金、鋳金、彫金等の細工が施されている意匠であることが好適であるが、細工が全く施されていない無地の地金１２の意匠であっても良い。
【００２３】
更に、宝石等が配設されている意匠と、宝石等が配設されていない地金１２の部分に鍛金、鋳金、彫金等の細工が施され、若しくは細工が施されていない意匠等とが混在している意匠であっても良い。
【００２４】
尚、宝石１３の代替えとしては、上述の人造宝石・色付きガラスの他に、透明ガラス・プラスチック・七宝焼等の陶磁器等を用いても良い。
【００２５】
本体リング１０の一の側面１５Ａには、半円状のリングであって外周面３１Ａに意匠γが施されている付帯リング３０Ａが付設されている。付帯リング３０Ａの外周面３１Ａに施されている意匠γは、本体リング１０の外周面（１１Ａ，１１Ｂ)に施されている意匠（α，β）と異なる意匠が好適であるが、どちらかの外周面（１１Ａ又は１１Ｂ)に施されている意匠（α又はβ）と同じ意匠であっても良い。尚、付帯リング３０Ａの外周面３１Ａへの意匠γの施し方（宝石等の配設や地金への細工の施し方等）は、上述の本体リング１０の外周面（１１Ａ，１１Ｂ）への意匠（α，β）の施し方と同様である。
【００２６】
実施形態１では、意匠γは、意匠α及びβとは異なり、付帯リング３０Ａの外周面３１Ａに、周方向に半周の長さに亘り無色で中央部３４から両端部（３３Ｍ,３３Ｎ）に向かって大きさが徐々に小さくなる小さな宝石１３Ｃが一列に地金３２に嵌め込まれた状態で配設された意匠γ１と、地金３２に細工が施された意匠（γ２，γ３）とが混在した意匠である。
【００２７】
付帯リング３０Ａは、周方向の両端部（３３Ｍ,３３Ｎ）が、本体リング１０の一の側面１５Ａであって本体リング１０の外周面（１１Ａ，１１Ｂ）に施されている意匠（α，β）の境界部（１６Ｍ，１６Ｎ)の位置で、図２に示す様に、矢印Ｘ方向である軸方向に１８０度回転するように、本体リング１０に付設されている。
【００２８】
本体リング１０への付帯リング３０の付設方法としては、図３に示す通り、本体リング１０の両境界部（１６Ｍ，１６Ｎ)の位置における側面１５に凸部１７を形成し、付帯リング３０の両端部（３３Ｍ,３３Ｎ）に上記凸部１７に嵌合する形状の凹部３５を形成し、凸部１７と凹部３５とを嵌合させることにより行う。このとき、付帯リング３０が矢印Ｘ方向である軸方向に回転できる程度の間隙５０を有した状態で、凹部３５が凸部１７と嵌合できることが重要である。尚、間隙５０を有することにより凸部１７と凹部３５が嵌合している状態において付帯リング３０が外れやすい場合には、凸部１７と凹部３５が嵌合している位置にピン５１を径方向に挿通し、付帯リング３０の凹部３５が本体リング１０の凸部１７から外れ難くしても良い。なお、本体リング１０への付帯リング３０の付設方法としては上記方法に限定されるものではなく、付帯リング３０が軸方向に１８０度回転するように本体リング１０へ付設されていれば、どのような方法であっても良い。
【００２９】
従って、実施形態１の多意匠指輪１Ａでは、手の甲側に現出させることができる意匠は、（１）本体リング１０の意匠αと付帯リング３０Ａの意匠γが合体した意匠（図1における左側の部分）、（２）付帯リング３０Ａを軸方向に１８０度回転させ手の平側に移動させることで残った部分である本体リング１０の意匠αのみの意匠、（３）手の平側にある意匠を手の甲側に現出させるために、指輪を周方向に１８０度回転させることで現出する本体リング１０の意匠βと付帯リング３０Ａの意匠γとが合体した意匠、（４）付帯リング３０Ａを軸方向に１８０度回転させ手の平側に移動させることにより残った部分である本体リング１０の意匠βのみの意匠（図1における右側の部分）と、４種類の意匠であり、よって１個の多意匠指輪１Ａで４種類の意匠を楽しむことが可能となる。
【００３０】
実施形態２
図４、図５に示す様に、実施形態２は、実施形態１の多意匠指輪１Ａである本体リング１０の一の側面１５Ａに付帯リング３０Ａが付設されているところに、更に半円状のリングであって外周面３１Ｂに意匠δが施されている付帯リング３０Ｂが、本体リング１０の他の側面１５Ｂに付設されている多意匠指輪１Ｂである。従って、付帯リング３０Ｂが付設されている以外は実施形態１と同様であり、従って図面の番号も同じ番号は同じ内容を意味する。
【００３１】
付帯リング３０Ｂの外周面３１Ｂに施されている意匠δは、本体リング１０の外周面（１１Ａ，１１Ｂ)に施されている意匠（α，β）と異なる意匠が好適であるが、いずれかの外周面（１１Ａ又は１１Ｂ)に施されている意匠（α又はβ）と同じ意匠であっても良い。更に、意匠δは、本体リング１０の一の側面１５Ａに付されている付帯リング３０Ａの外周面３１Ａに施されている意匠γと異なる意匠であっても、同一の意匠であっても良い。
【００３２】
尚、付帯リング３０Ｂの外周面３１Ｂへの意匠δの施し方（宝石の配設や地金への細工の施し方等）は、意匠γの施し方と同様で、従って上述の本体リング１０の外周面（１１Ａ，１１Ｂ）の意匠（α，β）の施し方と同様である。
【００３３】
実施形態２では、図４、図５に示す様に、付帯リング３０Ｂの外周面３１Ｂに施されている意匠δは、意匠γと同一の意匠である。
【００３４】
付帯リング３０Ｂは、本体リング１０の他の側面１５Ｂであって、付帯リング３０Ａと同様に本体リング１０の外周面（１１Ａ，１１Ｂ）の意匠（α，β）の境界部（１６Ｍ，１６Ｎ)の位置で、矢印Ｘ方向である軸方向に１８０度回転するように、本体リング１０に付設されている。
【００３５】
従って、実施形態２の多意匠指輪１Ｂでは、手の甲側に現出させることができる意匠は、（１）本体リング１０の意匠αと付帯リング３０Ａの意匠γと付帯リング３０Ｂの意匠δの３意匠が合体した意匠（図４における左側の部分）、（２）いずれかの付帯リング（３０Ａ又は３０Ｂ）を軸方向に１８０度回転させることにより残った部分である本体リング１０の意匠αと付帯リング（３０Ｂ又は３０Ａ）の意匠（δ又はγ）が合体した意匠（付帯リング３０Ｂを軸方向に回転させた場合では、図５における左側の部分）、（３）上述の（２）で残った付帯リング（３０Ｂ又は３０Ａ）を更に軸方向に１８０度回転させることで残った部分である本体リング１０の意匠αのみの意匠、（４）手の腹側にある意匠を手の甲側に現出させるために、本体の指輪を周方向に１８０度回転させることで現出する本体リング１０の意匠βと付帯リング３０Ａの意匠γと付帯リング３０Ｂの意匠δの３意匠が合体した意匠、（５）いずれかの付帯リング（３０Ａ又は３０Ｂ）を軸方向に１８０度回転させることにより残った部分である本体リング１０の意匠βと付帯リング（３０Ｂ又は３０Ａ）の意匠（δ又はγ）が合体した意匠（付帯リング３０Ａを軸方向に回転させた場合では、図５における右側の部分）、（６）上述の（５）で残った付帯リング（３０Ｂ又は３０Ａ）を更に軸方向に１８０度回転させることにより残った部分である本体リング１０の意匠βのみの意匠（図４における右側の部分）と、６種類の意匠であり、よって本実施形態２では、１の多意匠指輪１Ｂで６種類の意匠を楽しむことが可能となる。
【００３６】
実施形態３
図６、図７に示す様に、実施形態３は、実施形態２における付帯リング３０Ｂの外周面３１Ｂに施されている意匠δが、意匠α、β、γのいずれの意匠とも異なる意匠である。それ以外は実施形態１又は２と同様であり、従って図面の番号も同じ番号は同じ内容を意味する。
【００３７】
尚、付帯リング３０Ｂの外周面３１Ｂへの意匠δの施し方（宝石の配設や地金への細工の施し方等）は、意匠γの施し方と同様で、従って上述の本体リング１０の外周面（１１Ａ，１１Ｂ）の意匠（α，β）の施し方と同様である。
【００３８】
実施形態３では、付帯リング３０Ｂの外周面３１Ｂに施されている意匠δは、意匠γに用いられている小さな宝石１３Ｃとは形状、色彩が異なる小さな宝石１３Ｄが、周方向に半周の長さに亘り中央部３４から両端部（３３Ｍ,３３Ｎ）に向かって大きさが徐々に小さくなって一列に地金３２に嵌め込まれた状態で配設されている。
【００３９】
従って、実施形態３の多意匠指輪１Ｃでは、手の甲側に現出させることができる意匠は、（１）本体リング１０の意匠αと付帯リング３０Ａの意匠γと付帯リング３０Ｂの意匠δの３意匠が合体した意匠（図６における左側の部分）、（２）付帯リング３０Ｂを軸方向に１８０度回転させることにより残った部分である本体リング１０の意匠αと付帯リング３０Ａの意匠γが合体した意匠（図７における左側の部分）、（３）（１）の状態から付帯リング３０Ｂではなく付帯リング３０Ａを軸方向に１８０度回転させることにより残った部分である本体リング１０の意匠αと付帯リング３０Ｂの意匠δが合体した意匠、（４）上述の（２）又は（３）で残った付帯リング（３０Ａ又は３０Ｂ）を更に軸方向に１８０度回転させることで残った部分である本体リング１０の意匠αのみの意匠、（５）手の腹側にある意匠を手の甲側に現出させるために、本体の指輪を周方向に１８０度回転させることで現出する本体リング１０の意匠βと付帯リング３０Ａの意匠γと付帯リング３０Ｂの意匠δの３意匠が合体した意匠、（６）付帯リング３０Ｂを軸方向に１８０度回転させることにより残った部分である本体リング１０の意匠βと付帯リング３０Ａの意匠γが合体した意匠、（７）（５）の状態から付帯リング３０Ｂではなく付帯リング３０Ａを軸方向に１８０度回転させることにより残った部分である本体リング１０の意匠βと付帯リング３０Ｂの意匠δが合体した意匠（図７における右側の部分）、（８）上述の（２）又は（３）で残った付帯リング（３０Ａ又は３０Ｂ）を更に軸方向に１８０度回転させることにより残った部分である本体リング１０の意匠βのみの意匠（図６における右側の部分）と、８種類の意匠であり、従って、本実施形態３では、１の多意匠指輪１Ｃで８種類の意匠を楽しむことが可能となる。
【符号の説明】
【００４０】
１，１Ａ，１Ｂ，１Ｃ    多意匠指輪
１０    本体リング
１１，１１Ａ，１１Ｂ    外周面
１２    地金
１３，１３Ａ，１３Ｂ，１３Ｃ，１３Ｄ    宝石
１４    中央部
１５，１５Ａ，１５Ｂ    側面
１６，１６Ｍ，１６Ｎ    境界部
１７    凸部
３０，３０Ａ，３０Ｂ    付帯リング
３１，３１Ａ，３１Ｂ    外周面
３２    地金
３３，３３Ｍ，３３Ｎ    端部
３４    中央部
３５    凹部
５０    間隙
５１    ピン
α，β，γ，γ１，γ２，γ３，δ    意匠
Ｘ      回転方向
【図１】
2019037307.tif 000003
【図２】
2019037307.tif 000004
【図３】
2019037307.tif 000005
【図４】
2019037307.tif 000006
【図５】
2019037307.tif 000007
【図６】
2019037307.tif 000008
【図７】
2019037307.tif 000009